(57)【要約】【課題】空調装置の運転状態を、建物の所在地に応じて空調装置の運転状態を適切に切り替えることが可能な空調制御システムを提供すること。【解決手段】複数の邸Ｈのそれぞれに設けられた空調装置４の運転を制御する空調制御部として管理サーバＳｖ、制御機器ＨＧＷ、制御部４１を備えた空調制御システムであって、空調制御部（管理サーバＳｖ、制御機器ＨＧＷ、制御部４１）は、各邸Ｈの位置に関連するデータと、空調装置４の運転に関連するデータとを取得する情報取得部としての処理を行う部分と、取得した情報に基づいて、地域に関連付けて各邸Ｈの空調装置４の運転状態が第１の運転状態としてのＯＮ状態か第２の運転状態としてＯＦＦ状態かを判定する処理を行う部分と、判定結果に基づいて区分した地域に応じた運転状態を示す地域運転情報に応じた処理を行う地域情報対応処理部として処理を行う部分と、を備える空調制御システムとした。【選択図】図１
2020112330.tif 000002
【特許請求の範囲】
【請求項１】
複数の建物のそれぞれに設けられた空調装置の運転を制御する空調制御部を備えた空調制御システムであって、
前記空調制御部は、
各建物の位置に関連する情報と、前記空調装置の運転に関連する情報とを取得する情報取得部と、
取得した前記情報に基づいて、地域に関連付けて各建物の前記空調装置の運転状態が第１の運転状態か第２の運転状態かを地域に応じて判定する運転状態判定部と、
前記運転状態判定部の判定結果に基づいて区分した地域に応じた運転状態を示す地域運転情報に応じた処理を行う地域対応運転処理部と、
を備える空調制御システム。
【請求項２】
請求項１に記載の空調制御システムにおいて、
前記第１の運転状態と第２の運転状態は、前記空調装置を運転させているＯＮ状態と、前記空調装置を運転させていないＯＦＦ状態であり、
前記地域運転情報は、前記区分した地域の前記ＯＮ状態と前記ＯＦＦ状態の情報を含む空調制御システム。
【請求項３】
請求項１に記載の空調制御システムにおいて、
前記第１の運転状態と第２の運転状態は、前記空調装置の２４時間連続運転の実行状態であるＯＮ状態と、前記２４時間連続運転の非実行状態であるＯＦＦ状態であり、
前記地域運転情報は、前記区分した地域の前記ＯＮ状態と前記ＯＦＦ状態の情報を含む空調制御システム。
【請求項４】
請求項１に記載の空調制御システムにおいて、
前記第１の運転状態と第２の運転状態は、前記空調装置のタイマ運転の実行状態であるＯＮ状態と、前記タイマ運転の非実行状態であるＯＦＦ状態であり、
前記地域運転情報は、前記区分した地域の前記ＯＮ状態と前記ＯＦＦ状態の情報を含む空調制御システム。
【請求項５】
請求項２〜請求項４のいずれか１項に記載の空調制御システムにおいて、
前記地域運転情報に応じた処理として、前記空調装置に関する情報を表示する表示装置に、前記地域運転情報を表示させる処理を含む空調制御システム。
【請求項６】
請求項２〜請求項５のいずれか１項に記載の空調制御システムにおいて、
前記地域運転情報に応じた処理として、制御対象の前記建物が前記区分された地域のいずれに含まれるか判定し、制御対象の前記建物が含まれる地域の前記運転状態に応じて前記空調装置の運転を制御する処理を含む空調制御システム。
【請求項７】
請求項５または請求項６に記載の空調制御システムにおいて、
前記空調制御部は、さらに、気象データを取得し、前記ＯＮ状態と前記ＯＦＦ状態の判定に前記気象データを用いる空調制御システム。
【請求項８】
請求項５〜請求項７のいずれか１項に記載の空調制御システムにおいて、
前記空調制御部は、さらに、制御対象の前記建物の住人に関するデータを取得し、前記ＯＮ状態と前記ＯＦＦ状態の判定に、前記住人に関するデータを用いる空調制御システム。
【請求項９】
請求項１〜請求項８のいずれか１項に記載の空調制御システムにおいて、
前記空調制御部は、前記建物に設けられ、前記空調装置の運転を制御する制御機器と、
前記制御機器と通信ネットワークを介して接続された管理サーバとを含む空調制御システム。
【発明の詳細な説明】
【技術分野】
【０００１】
本開示は、空調制御システムに関するものである。
【背景技術】
【０００２】
従来から、建物が備える空調システムに対する使用方法をアドバイス可能な空調制御システムが、提案されている（例えば特許文献１参照）。
この従来装置は、季節に応じ、夏には冷房設定温度の上昇を、冬には暖房設定温度の低減をアドバイスして、電力使用量の節減を図るようにしている。
【先行技術文献】
【特許文献】
【０００３】
【特許文献１】特開２００９−１１２０７５号公報
【発明の概要】
【発明が解決しようとする課題】
【０００４】
しかしながら、上述の従来技術は、単に、季節に応じて設定温度を上下させるアドバイスを行うだけであり、下記の問題を有していた。例えば、北海道などの北の地域と、沖縄、九州などの南の地域とは、外気温が全く異なる。そのため、南の地域では冷房運転を行うような初夏などにあっても、北の地域では、冷房運転が不要であったり、まだ暖房運転が必要であったりする場合がある。このような場合、冷房設定温度や暖房設定温度を上下させるだけでは快適な空調環境を得るのが難しい。
【０００５】
逆に、北の地域では暖房を行うような秋などにおいて、南の地域では暖房が不要であったり、冷房が必要であったりする場合もあり、この場合、冷房設定温度や暖房設定温度を上下させるだけでは、快適な空調環境を得ることが難しい。
【０００６】
本開示は、空調装置の運転状態を、建物の所在地に応じて空調装置の運転状態を適切に切り替えることが可能な空調制御システムを提供することを目的としている。
【課題を解決するための手段】
【０００７】
前記目的を達成するために、本開示の空調制御システムでは、複数の建物のそれぞれに設けられた空調装置の運転を制御する空調制御部は、各建物の位置に関連する情報と、前記空調装置の運転に関連する情報とを取得する情報取得部と、取得した前記情報に基づいて、各建物の前記空調装置の運転状態が第１の運転状態か第２の運転状態かを地域に応じて判定する運転状態判定部と、前記運転状態判定部の判定結果に基づいて区分した地域に応じた運転状態を示す地域運転情報に応じた処理を行う地域対応運転処理部と、を備える。
【発明の効果】
【０００８】
本開示の空調制御システムでは、空調装置の運転状態を、建物の所在地に応じて適切に切り替えることが可能である。
【図面の簡単な説明】
【０００９】
【図１】実施の形態１の空調制御システムを適用した住宅用機器制御システムを表した説明図である。
【図２】実施の形態１の空調制御システムによる地域運転情報表示処理の流れを示すフローチャートである。
【図３Ａ】表示装置６１により３／１６の実際の２４時間連続運転による暖房運転のＯＮ状態からＯＦＦ状態への切替前線ＦＬ１の表示例を示す図である。
【図３Ｂ】表示装置６１により３／１６の時点で、翌日の３／１７の２４時間連続運転による暖房運転のＯＮ状態からＯＦＦ状態への予測した切替前線ＦＬ２の表示例を示す図である。
【図４】実施の形態２の空調制御システムによる地域運転情報表示処理の流れを示すフローチャートである。
【図５】実施の形態２の空調制御システムを示す説明図である。
【図６】実施の形態３の空調制御システムを示す説明図である。
【発明を実施するための形態】
【００１０】
以下、実施の形態について図面を参照して説明する。
（実施の形態１）
図１は、実施の形態１の空調制御システムを含む住宅用機器制御システムＣの全体概略を表した説明図である。
住宅用機器制御システムＣは、邸Ｈ１、邸Ｈ２、邸Ｈ３・・として示した各住宅（建物）に設置した各種機器を制御するためのシステムである。なお、以下の説明において、邸Ｈ１、Ｈ２、Ｈ３・・・のいずれかを特定しない場合には、邸Ｈと表記する。
【００１１】
各邸Ｈに設置された後述する各種機器は、制御機器ＨＧＷにより運転状態や消費電力などが監視され、かつ、その運転は、制御機器ＨＧＷにより制御される。
【００１２】
また、制御機器ＨＧＷは、ルータＲを経由し通信ネットワークＮＷを介して、直接若しくは間接的に１または複数の管理サーバＳｖ（Ｓｖ１、Ｓｖ２）と接続されている。この管理サーバＳｖから制御機器ＨＧＷに運転計画や、アドバイス情報が送られる。そして、制御機器ＨＧＷは、受信した運転計画に基づいて、各種機器の運転制御を行うとともに、空調装置４に接続された表示装置６１に運転に関するアドバイスなどを表示する。さらに、制御機器ＨＧＷは、パーソナルコンピュータや携帯電話などの情報端末６２から指示を受けたり、情報端末６２に運転に関するアドバイスを表示したりすることが可能となっている。
【００１３】
邸Ｈには、各種機器として、蓄電池２、給湯機器３、空調装置４が設置されている。
蓄電池２は、太陽光発電装置２０などのエネルギ生成手段によって生成した電力や、安価な時間帯に取得した電力が蓄えられる。具体的には、タイマによって設定された時間帯に充電や放電を行う単純な運転や、制御機器ＨＧＷが取得した運転計画に基づいて充電や放電などを行うことが可能な機器である。蓄電池２の充放電運転モードには、一例として自立率優先モード、経済性優先モード、出力抑制機能、停電情報対応といった現在備えているモードや、将来的に付加されるモードがある。
【００１４】
給湯機器３は、蓄電池２と同様に太陽光発電や安価な夜間電力を利用して給湯用の湯を生成し、主として日中の利用のために蓄える。詳細には、給湯機器３は、湯の沸き上げや給湯に使用する各種の手段と、これらを制御するＣＰＵなどの演算手段や制御プログラムやデフォルトの運転モードを含めた各種の情報を記憶する記憶部を有した制御部３１を備えている。
【００１５】
この給湯機器３の制御部３１は、制御機器ＨＧＷとの通信によって給湯機器３のために設定された運転計画を実行する。また、制御部３１の記憶部には、例えば、利用者が決めた湯を沸かし始める開始時刻などのデフォルトの設定や、制御機器ＨＧＷを介して適宜送られる運転計画が記憶される。さらに、制御部３１は、運転状況を制御機器ＨＧＷに対して出力し、この運転状況は、制御機器ＨＧＷから通信ネットワークＮＷを介して管理サーバＳｖに送られる。
【００１６】
空調装置４は、室内の暖房や冷房を行う所謂エアコンとして機能するものであり、快適性を保ちながら深夜の運転を最適化することで省エネ効果を発揮する機器である。この空調装置４は、図示は省略するが、床下などに配置して、深夜電力を利用し、建物の床下、躯体、室内を冷房および暖房する運転を行うことができる。
【００１７】
また、空調装置４は、室外機の駆動や温度設定、使用する熱交換器の選択などを行う各種の手段と、これらを制御するＣＰＵなどの演算手段や制御プログラムその他各種の情報を記憶する記憶手段を有した制御部４１と、を備えている。そして、空調装置４は、管理サーバＳｖから、通信ネットワークＮＷおよび制御機器ＨＧＷを経由して制御部４１に取得した運転計画に基づいて効率の良い冷暖房の自動運転を行うことができる。
【００１８】
さらに、この自動運転としては、タイマ運転と、２４時間連続運転とが含まれる。タイマ運転は、運転計画により設定された時刻や、住人が設定した時刻に基づいて運転開始および運転停止を自動的に行う。このタイマ制御には、過去の空調装置４の運転状況や、検出した室温等に基づいて、住人の在宅時間に応じて快適な空調環境が得られるように、タイマの設定を行う制御（お勧めタイマ）が含まれる。
【００１９】
２４時間連続運転は、２４時間連続して冷房運転や暖房運転を行うもので、起床時や、住人の在宅時に、設定温度に制御し、睡眠時や住人の不在時には、設定温度よりも低温として熱交換を抑えたキープ運転を実行する省エネ運転を行う。
【００２０】
制御機器ＨＧＷは、上述のように、管理サーバＳｖからの指示にしたがって各種機器の運転を直接的、間接的に制御する。この運転制御として、周知のＨＥＭＳ（Home Energy Management System、ホームエネルギマネジメントシステム）制御と称する家庭内のエネルギ管理のための制御であって、省エネを主体とした制御が含まれる。このＨＥＭＳ制御により、蓄電池２の充放電運転およびインバータ（不図示）の電力変換運転、分電盤（不図示）における電力経路切り替え制御や、給湯機器３への給水および給湯運転や、空調装置４の空調運転が制御される。
【００２１】
管理サーバＳｖは、各邸Ｈの建物の性能や、設置された各種機器（蓄電池２、給湯機器３、空調装置４）に関する情報に加え、各邸Ｈの家族構成などの住人に関する情報が予め記憶されている。また、管理サーバＳｖには、各邸Ｈの各種機器の運転状態、消費電力、住人の生活スケジュール、各種機器の運転スケジュールや温度設定などの設定状態が、通信ネットワークＮＷを介して随時入力され、記憶される。さらに、管理サーバＳｖには、通信ネットワークＮＷを介して、気象データが入力され、記憶される。なお、気象データとしては、気象実績データと、気象予報データとを含む。
【００２２】
次に、実施の形態１の空調制御システムについて説明する。この空調制御システムの空調制御部としての管理サーバＳｖおよび制御機器ＨＧＷは、空調装置４の運転制御を実行するのに加え、空調装置４の運転に関するアドバイス制御を実行する。以下に、このアドバイス制御について説明する。
このアドバイス制御は、管理サーバＳｖにおいて実行され、最終的に得られたアドバイスを、制御機器ＨＧＷに送信し、表示装置６１に表示する。このアドバイス制御としては、例えば、設定温度に対するアドバイスや、ＨＥＭＳ制御およびタイマ制御に対するアドバイスなどが含まれる。
【００２３】
さらに、本実施の形態１では、アドバイス制御として、空調装置４の運転状態を切り替えるタイミングを示唆する制御を実行する。以下、この切替タイミングに関するアドバイス制御について説明する。
【００２４】
例えば、暖房運転は、秋の終わりから冬の初め頃に開始し、冬の終わりから春の初め頃に終了する。そこで、暖房運転が必要な時期や不要となる時期には、各邸Ｈの住人が手動により、暖房運転を開始する操作や、暖房運転を終了する操作、すなわち、暖房運転のＯＦＦ状態からＯＮ状態への切替や、ＯＮ状態からＯＦＦ状態への切替を行う。なお、この切替に伴い、暖房運転の開始の際には、前述したタイマ運転の設定や、２４時間連続運転の設定を行ったりする。
【００２５】
また、冷房運転に関しても、春の終わりや夏の初め頃にＯＦＦ状態からＯＮ状態に切り替え、夏の終わりや秋の始まり頃に、ＯＮ状態からＯＦＦ状態に切り替える。なお、冷房運転の開始の際に、タイマ設定を行ったり、２４時間連続運転を設定したりする。また、春や秋の中間期には、空調装置４の運転を停止する場合もある。あるいは、この際に、換気運転や、除湿運転のみを行う場合もある。
【００２６】
以上のように、邸Ｈの住人は、季節の変化に応じて、空調装置４の各種運転状態をＯＮ状態とＯＦＦ状態とに切り替える操作を行う。そこで、本実施の形態１では、その切替タイミングを最適タイミングで行うように示唆するための地域運転情報を表示する処理を行う。この地域運転情報表示処理は、全国に点在する他の邸Ｈの空調装置４において、区分した地域毎にＯＮ状態とＯＦＦ状態の割合を表示するとともに、その割合が異なる地域を区分する切替前線ＦＬを表示する。したがって、住人は、自分の邸Ｈが所在する地域のＯＮ状態とＯＦＦ状態との割合を参照することで、適切なタイミングでＯＮ状態とＯＦＦ状態との切替を行うことができる。
【００２７】
＜地域運転情報表示処理＞
以下に、地域運転情報表示処理の流れを図２のフローチャートに基づいて説明する。
まず、最初のステップＳ１０１では、管理サーバＳｖにおいて、全国の邸Ｈの制御機器ＨＧＷから各邸Ｈの空調装置４の運転状態のデータを、通信ネットワークＮＷを介して読み込む。同時に、管理サーバＳｖにおいて、通信ネットワークＮＷを介して気象データ（気象実績データおよび気象予測データ）を読み込む。これらの読み込み処理は、所定間隔で継続的に行い、読み込んだデータは図示を省略した記憶部に記憶する。
【００２８】
次のステップＳ１０２では、読み込んだデータを切替判定関係式に当てはめて各邸Ｈにおいて空調装置４をＯＮ状態とするかＯＦＦ状態とするか判定する。そして、地域ごとに、空調装置４のＯＮ状態とＯＦＦ状態との割合を求め、その割合に基づいて切替前線ＦＬを求める。
【００２９】
ここで、切替前線ＦＬおよび切替判定関係式について説明を加える。例えば、春には、暖房運転を実行するＯＮ状態から、暖房運転を停止するＯＦＦ状態への切り替えを行う。この切替時期は、南の地域ほど早く、北の地域ほど遅い。また、同じ地域では、この切替は、低地ほど早く、高地ほど遅くなる。そこで、全国の邸Ｈにおいて、地域ごとに暖房運転のＯＮ状態とＯＦＦ状態と割合を求める。そして、このＯＮ状態およびＯＦＦ状態の割合に基づいて区分する境界を切替前線ＦＬと称する。
【００３０】
この各邸Ｈの運転状態は、１〜複数年間の各邸Ｈの実際の切替タイミングの過去データと、その際の気象実績データ（過去データ）とを関連付けることにより、下記の（式１）に示すような判定値を算出する切替判定関係式を設定することができる。
判定値＝ａＸ＋ｂＹ＋ｃＺ  ・・・（式１）
【００３１】
ここで、Ｘ、Ｙ、Ｚ・・・、は、運転状態の判定因子であり、この判定因子としては、気象データ、住宅の環境データ、個人差、邸差などを用いることができる。また、気象データとしては、晴れ、曇り、雨、雪等、最低気温、ｎ時の気温、湿度等を用いることができる。さらに、気象データとしては、実際の気象データである気象実績データと、翌日の天気予報に基づく気象予測データとが含まれる。気象実績データは、上記切替判定関係式を作成するのに用いる。一方、気象予測データは、翌日の運転状態を予測するのに用いる。
【００３２】
また、住宅の環境データとしては、室温や室内湿度等を用いることができる。個人差や邸差としては、設定温度、運転状況、補助暖冷房器具（こたつ、扇風機等）の使用状況や、温冷感（設定温度変更等の操作履歴等に基づく）等を用いることができる。そして、ａ，ｂ，ｃは、それぞれ、係数である。
【００３３】
ここで、個人差について説明を加える。上記切替判定関係式の判定因子には、住人に関するデータを用いることができる。この住人に関するデータは、例えば、予めアンケートを行って入力してもよいし、あるいは、制御機器ＨＧＷから送られる設定温度などの情報から推定するようにしてもよいし、さらには、毎日の住人に関する情報を管理サーバＳｖに送るようにしてもよい。
【００３４】
上記のアンケートを行う場合、予め住人に暑がりか、寒がりか、あるいはそのいずれでもないかなどの、暑さ寒さに対する住人の特性に関する質問に回答してもらい、その回答に基づいて管理サーバＳｖで用いる切替判定関係式の係数を設定することができる。
【００３５】
あるいは、制御機器ＨＧＷから送られる設定温度の情報に基づいて、住人の特性が暑がり、寒がり等を推定し、管理サーバＳｖで用いる切替判定関係式の係数を設定することができる。
【００３６】
さらには、制御機器ＨＧＷの直接、あるいは、間接的な制御に基づいて、表示装置６１や情報端末６２を用いて、住人に対し、住人の特性を判定する質問を行い、その回答に基づいて住人の特性を推定し、切替判定関係式に反映させることができる。なお、住人の特性を判定する質問としては、例えば、服装に関する質問や、現在の温調が快適か否かの質問や、現在の気候に対して心地よいか、寒いか、暑いかなどの体感に関する質問などを用いることができる。また、服装などは、質問形式ではなく、カメラを用いて住人を撮影し、その撮影データから判定することも可能である。
【００３７】
以上のようにして設定した上記（式１）により求めた判定値が予め設定された閾値を上回れば、暖房運転をＯＮ状態とし、閾値を下回れば暖房運転をＯＦＦ状態とすると判定することができる。
【００３８】
すなわち、予め１〜数年の運転状態のデータと気象実績データとに基づいて、切替判定関係式を作成しておく。そして、これに現時点での運転状態のデータと気象予報データとを代入することで、翌日に空調装置４をＯＮ状態とするかＯＦＦ状態にするかを判定（予測）できる。なお、過去の運転状態（ＯＮ状態とＯＦＦ状態）の判定は、実際の空調装置４の運転状態から求めるだけではなく、例えば、消費電力のデータから推定することもできる。
【００３９】
上述のＯＮ状態とＯＦＦ状態の判定は、邸Ｈにより異なる。すなわち、同一地域であっても、暑がり、寒がりといった住人の違いや、邸Ｈの性能、方位、日当たりの違い、標高差などによる邸差により、運転状態を切り替えるタイミングが異なる。
【００４０】
そこで、本実施の形態１では、上記関係式により各邸ＨのＯＮ状態、ＯＦＦ状態を求め、予め区分した地域ごとに、運転状態の割合を求める。この運転状態の割合の違いについて、以下に、図３Ａ、図３Ｂに基づいて説明する。
【００４１】
図３Ａ、図３Ｂは、春のある日の２４時間連続運転による暖房運転のＯＦＦ状態の割合を地域区分した表示例を示す。詳細には、図３Ａは、３／１６の実際の２４時間連続運転による暖房運転をＯＮ状態からＯＦＦ状態に切り替えた割合を地域区分した表示例を示す。
一方、図３Ｂは、３／１６の時点で気象予測データ等に基づいて翌日の３／１７の２４時間連続運転による暖房運転をＯＮ状態からＯＦＦ状態に切り替える割合を予測した地域区分の表示例を示す。なお、２４時間連続運転による暖房運転では、深夜や住人が不在の時間帯は、相対的に低い所定温度に保ちつつ、起床時間帯や、住人の在宅時間帯は、タイマ設定や設定温度に基づいて相対的に高い温度で暖房運転を行う制御とする。
【００４２】
そして、図３Ａでは切替前線ＦＬ１として、ＯＦＦ状態の割合が３０％〜５９％の地域と、ＯＦＦ状態の割合が３０％未満の地域との境界を示す。一方、図３Ｂでは予測した切替前線ＦＬ２として、ＯＦＦ状態の割合が６０％〜１００％の地域と、ＯＦＦ状態の割合が３０％〜５９％の地域との境界を示す。なお、切替前線ＦＬ１、ＦＬ２を総称して切替前線ＦＬと称する。また、図３Ａ，図３Ｂでは、地域を都道府県に基づいて区分しているが、区分はこれに限定されない。上述のように、運転状態は、標高によっても異なるため、さらに、標高の違いに応じて区分してもよい。
【００４３】
図３Ａに示す例では、２４時間連続暖房運転をＯＮ状態からＯＦＦ状態に切り替える割合が低い地域が相対的に多い。一方、その翌日の予測を示す図３Ｂでは、２４時間連続運転による暖房運転をＯＮ状態からＯＦＦ状態に切り替える割合が高い地域が増えている。
【００４４】
このように、日々の季節変化に応じ、２４時間連続運転による暖房運転をＯＮ状態からＯＦＦ状態に切り替える割合が、１日で変化する可能性が高いことが分かる。また、２４時間連続運転による暖房運転をＯＮ状態からＯＦＦ状態に切り替える割合が高い地域が南方から徐々に増えるのが分かる。
【００４５】
また、図示は省略するが、初夏などに冷房運転を、ＯＦＦ状態からＯＮ状態に切り替える割合が高い地域も、上記と同様に、南方から徐々に、北上する。一方、夏の終わりや初秋に、自動冷房運転をＯＮ状態からＯＦＦ状態に切り替える割合が高い地域は、上記とは逆に、北方から、南方に移動する。
【００４６】
以上のような切替判定関係式に基づいて運転状態の判定および切替前線の設定を行うステップＳ１０２に続くステップＳ１０３では、地域ごとのＯＮ状態、ＯＦＦ状態の情報、および、切替前線ＦＬの情報を各邸Ｈの制御機器ＨＧＷに配信する。なお、以上は２４時間連続運転による暖房運転を例に挙げたが、他の運転状態の切り替えの判定も行うことができる。例えば、２４時間連続運転による冷房運転や、タイマ設定に基づく運転のＯＮ状態、ＯＦＦ状態の切り替え、あるいは、空調装置４を運転させるか停止させるかのＯＮ状態、ＯＦＦ状態の切り替えについても同様に行うことができる。
【００４７】
この配信を行うステップＳ１０３に続くステップＳ１０４では、制御機器ＨＧＷの制御により表示装置６１に、地域ごとのＯＮ状態、ＯＦＦ状態の情報、および、切替前線ＦＬの情報を表示する。この表示は、例えば、図３Ａ，図３Ｂに示す地図を表示することができる。あるいは、ＯＦＦ状態に切り替える割合が、所定値（例えば、３０％）を超える地域と超えない地域とを区分する切替前線ＦＬ１を表示するようにしてもよい。また、第２の所定値（例えば、６０％）を越える地域と越えない地域を区分する切替前線ＦＬ２を表示するようにしてもよい。さらに、この際に、地図上に対象となる邸Ｈの位置を表示してもよい。
【００４８】
また、他の表示方法としては、邸Ｈの所在地を含む地域におけるＯＦＦ状態に切り替える割合を表示してもよい。あるいは、ＯＦＦ状態に切り替える割合が所定値を超えても、空調装置４の暖房運転がＯＮ状態である場合に、ＯＦＦ状態に切り替えることを勧めるメッセージを表示するようにしてもよい。
【００４９】
なお、判定結果の表示は、表示装置６１による表示に加え、情報端末６２にも表示したり、メール等を用いて報せるようにしてもよい。あるいは、表示装置６１を用いることなく情報端末６２のみに表示や報知を行うようにしてもよい。
【００５０】
以上説明した実施の形態１の空調制御システムにあっては、上述の表示装置６１あるいは情報端末６２の表示に基づいて、住人が、２４時間連続運転による暖房運転を停止する時期を判断することができる。
【００５１】
また、切替判定関係式は、上述した２４時間連続運転による暖房運転のＯＮ状態からＯＦＦ状態への切替前線ＦＬのみならず、他の上述した冷房運転や、タイマ運転や、単なるＯＮ、ＯＦＦの切り替えなどについても、作成することができる。
【００５２】
（実施の形態１の効果）
以下に、実施の形態の１の空調制御システムの効果を列挙する。
（１）実施の形態１の空調制御システムは、
複数の邸Ｈのそれぞれに設けられた空調装置４の運転を制御する空調制御部として管理サーバＳｖ、制御機器ＨＧＷ、制御部４１を備えた空調制御システムであって、
空調制御部（管理サーバＳｖ、制御機器ＨＧＷ、制御部４１）は、
各邸Ｈの位置に関連するデータと、空調装置４の運転に関連するデータとを取得する情報取得部としてのステップＳ１０１の処理を行う部分と、
取得した情報に基づいて、地域に関連付けて各邸Ｈの空調装置４の運転状態が第１の運転状態としてのＯＮ状態か第２の運転状態としてＯＦＦ状態かを判定するステップＳ１０２の処理を行う部分と、
ステップＳ１０２の判定結果に基づいて区分した地域に応じた運転状態を示す地域運転情報に応じた処理を行う地域情報対応処理部としてステップＳ１０３、Ｓ１０４の処理を行う部分と、
を備える。
【００５３】
したがって、邸Ｈの空調装置４は、地域運転情報に応じた運転を行うことができる。より具体的には、地域運転情報に応じた処理として、空調装置４に関する情報を表示する表示装置６１あるいは情報端末６２に、地域運転情報を表示させる処理を実行する。これにより、住人が所在地に応じた運転情報を得て所在地に応じた適切な空調装置４の運転の切替を行うことができる。
【００５４】
（２）実施の形態１の空調制御システムは、
空調制御部は、邸Ｈに設けられ、空調装置４の運転を制御する制御機器ＨＧＷおよび制御部４１を含む空調制御ユニットと、空調制御ユニットと通信ネットワークＮＷを介して接続された管理サーバＳｖとを含む。
【００５５】
したがって、全国に多く点在する邸Ｈのそれぞれに対応した地域運転情報を、管理サーバＳｖにより一括して提供することが可能である。
【００５６】
（３）実施の形態１の空調制御システムは、
第１の運転状態と第２の運転状態は、空調装置４を運転させているＯＮ状態と、空調装置４を運転させていないＯＦＦ状態であり、地域運転情報として、地域区分したＯＮ状態とＯＦＦ状態の情報を含む。
【００５７】
したがって、住人は、所在地に応じて空調装置４のＯＮ状態とＯＦＦ状態の適切な切り替えが可能である。
【００５８】
（４）実施の形態１の空調制御システムは、
第１の運転状態と第２の運転状態は、空調装置４の２４時間連続運転の実行状態であるＯＮ状態と、２４時間連続運転の非実行状態であるＯＦＦ状態であり、地域運転情報は、区分した地域のＯＮ状態とＯＦＦ状態の情報としてのＯＮ状態とＯＦＦ状態との割合を含む。
【００５９】
したがって、住人は、所在地に応じて空調装置４の２４時間連続運転のＯＮ状態とＯＦＦ状態の適切な切り替えが可能である。
【００６０】
（５）実施の形態１の空調制御システムは、
第１の運転状態と第２の運転状態は、空調装置４のタイマ運転の実行状態であるＯＮ状態と、タイマ運転の非実行状態であるＯＦＦ状態であり、地域運転情報として、地域区分したＯＮ状態とＯＦＦ状態の情報を含む。
【００６１】
したがって、住人は、所在地に応じて空調装置４のタイマ運転のＯＮ状態とＯＦＦ状態の適切な切り替えが可能である。
【００６２】
（６）実施の形態１の空調制御システムは、
空調制御部（管理サーバＳｖ、制御機器ＨＧＷ、制御部４１）は、さらに、気象データとして気象実績データを取得し、ＯＮ状態とＯＦＦ状態の判定に気象実績データを用いる。
【００６３】
したがって、空調装置４のＯＮ状態とＯＦＦ状態との判定に、気象実績データを関連付けて行うことができ、より高精度に判定することができる。すなわち、本実施の形態１では、気象実績データに基づいて、切替判定関係式を作成することで、気象実績データを用いない場合と比較して、ＯＮ状態とＯＦＦ状態の判定を、高精度で行うことができる。
【００６４】
（７）実施の形態１の空調制御システムは、
空調制御部（管理サーバＳｖ、制御機器ＨＧＷ、制御部４１）は、さらに、気象データとして気象予測データを取得し、ＯＮ状態とＯＦＦ状態の判定に気象予測データを用いる。
【００６５】
したがって、気象予測データに基づいて地域対応切替処理を行うことにより、気象変化に未然に対応して的確な地域運転情報を提供することができる。すなわち、切替判定関係式に、翌日の気象予報データを代入することにより、翌日の運転状態を予測し、これを提供することにより、空調装置４の適切な切替を未然に行うことができる。
【００６６】
より具体的には、例えば、暖房運転をＯＮ状態に切り替える時期において、夜間に急に外気温が低下した場合に、朝、寒く感じたり、体調を崩したりする恐れがある。本実施の形態１では、上記のように気象予測データに基づいて表示を行うことにより、前日の表示に基づいて、的確にＯＮ状態に切り替えることができる。
【００６７】
同様に、ＯＦＦ状態に切り替えるタイミングが分かりにくく、暖房が不要なくらいに外気温が高まっているのに、暖房運転をＯＦＦ状態に切り替えることなく暖房運転を継続し、無駄にエネルギを消費する恐れがある。本実施の形態１では、上記のように気象予測データを用いることにより、ＯＦＦ状態に切り替えるタイミングを的確に知り、無駄なエネルギ消費を抑えることができる。
【００６８】
（８）実施の形態１の空調制御システムは、
空調制御部（管理サーバＳｖ、制御機器ＨＧＷ、制御部４１）は、さらに、制御対象の邸Ｈの住人に関するデータを取得し、ＯＮ状態とＯＦＦ状態の判定に、住人に関するデータを用いる。
【００６９】
したがって、住人に関するデータを用いない場合よりも、邸Ｈの住人により適切に対応した判定を行って、より高い快適性を与えるアドバイスを提供することができる。
【００７０】
（他の実施の形態）
以下に、他の実施の形態について説明する。なお、他の実施の形態の説明するにあたり、相互に共通する構成やステップには共通する符号を付して、説明を省略し相違点についてのみ説明する。
【００７１】
（実施の形態２）
実施の形態２は、実施の形態１の変形例であり、制御機器ＨＧＷにより実行する図４のステップＳ１０４ｂの処理が実施の形態１と異なる。すなわち、ステップＳ１０４ｂでは、取得した地域運転情報に基づいて、制御対象の邸Ｈの所在地応じた運転を行う。
【００７２】
つまり、実施の形態１では、空調装置４の運転状態の切替は、住人が任意に行うようにしていたが、実施の形態２では、空調装置４の運転状態の切替を自動で行うようにした。
【００７３】
図５は、この実施の形態２の空調制御システムの概略示す。制御機器ＨＧＷは、気象予報データに基づいて得られた切替前線ＦＬの情報を含む地域運転情報を取得したら、実施の形態１と同様に表示装置６１に地域運転情報を表示するのに加え、必要に応じ空調装置４の運転状態の切替を行う。この場合、例えば、制御対象の邸Ｈが、図３Ｂに示した切替前線ＦＬ２よりもＯＦＦ状態の割合が多い側に含まれる場合に、自動的に２４時間連続運転による暖房運転を停止する。
【００７４】
このように、実施の形態２では、住人が操作を行うことなく、季節に応じた運転状態の切替を行うことができ、操作性、快適性に優れる。
【００７５】
（２−１）実施の形態２の空調制御システムでは、
空調制御部（管理サーバＳｖ、制御機器ＨＧＷ、制御部４１）は、地域運転情報に応じた処理として、制御対象の邸Ｈが区分された地域のいずれに含まれるか判定し、制御対象の邸Ｈが含まれる地域の運転状態に応じて空調装置４の運転を制御する処理（ステップＳ１０４ｂ）を含む。
したがって、住人が操作を行うことなく、季節に応じた運転状態の切替を自動的に行うことができ、操作性、快適性に優れる。
【００７６】
（実施の形態３）
実施の形態３の空調制御システムは、図６に示すように、制御機器ＨＧＷは、気象予測データを入力する。そして、制御機器ＨＧＷは、予め管理サーバＳｖから配信された切替判定関係式を記憶しておき、これに気象予測データを含む必要なデータを入力し、邸Ｈの空調装置４をＯＮ状態とするかＯＦＦ状態とするかの判定を行う。
【００７７】
この判定結果に基づく地域対応切替処理としては、実施の形態１のように切替前線ＦＬなどの表示を行ってもよいし、実施の形態２のように空調装置４の運転制御を行うようにしてもよい。
【００７８】
以上のように、実施の形態３では、制御対象の邸Ｈの空調装置４について、切替判定関係式を用いて判定値を求め閾値と比較して、ＯＮ状態とするかＯＦＦ状態とするか邸Ｈ毎に求め、それに応じた地域対応切替処理を行う。
【００７９】
したがって、実施の形態３にあっても、気象予報データに基づいて地域対応切替処理を行うことにより、気象変化に未然に対応して的確なアドバイスや制御を行うことができる。
【００８０】
以上、図面を参照して、本発明を実施するための形態を実施の形態に基づいて詳述してきたが、具体的な構成は、この実施の形態に限らず、本発明の要旨を逸脱しない程度の設計的変更は、本発明に含まれる。
【００８１】
例えば、図３Ａ、図３Ｂでは、地域を都道府県で区分した図を示したが、この区分は、これに限定されるものではない。すなわち、地域の区分は、基本的には、空調装置の運転状態が共通する地域で区分するのが好ましく、例えば、同じ都道府県内であっても、標高差が大きい場合、運転状態も異なることから、標高に応じて区分してもよい。また、同様の理由から、都道府県が異なっていても、気候条件などが共通し、空調装置の運転状態が共通する地域は、同一地域として区分してもよい。
【００８２】
また、実施の形態では、空調制御部としての管理サーバＳｖや制御機器ＨＧＷが、気象データを読み込み、このデータに基づいて、区分した地域の運転状態を示す地域運転情報を作成する例を示したが、これに限定されない。つまり、地域運転情報は、少なくとも区分された地域における空調装置の運転状態を示す情報であればよいため、少なくとも空調装置の運転状態が地域に関連した情報であればよい。例えば、運転実績を示すデータにより、所定の割合以上の空調装置のＯＮ状態とＯＦＦ状態との切り替えが実行されている場合に、切り替えを勧めるアドバイスを表示するようにしてもよい。
【００８３】
また、実施の形態では、空調装置の運転情報として、ＯＮ状態とＯＦＦ状態との切り替えを示したが、これに限定されない。例えば、区分された地域における設定温度の切り替え情報に基づいて、設定温度を切り替えを勧めたり、切り替えたりする制御を行うようにしてもよい。すなわち、第１の運転状態が相対的に設定温度が高い状態、第２の運転状態が相対的に設定温度が低い状態として、両者の切り替えの有無の情報を、地域運転情報とすることができる。
【符号の説明】
【００８４】
４     空調装置
４１   制御部（空調制御部）
６１   表示装置
６２   情報端末
Ｃ     住宅用機器制御システム
ＦＬ   切替前線
ＦＬ１ 切替前線
ＦＬ２ 切替前線
Ｈ     邸
ＨＧＷ 制御機器（空調制御部）
ＮＷ   通信ネットワーク
Ｓｖ   管理サーバ（空調制御部）
【図１】
2020112330.tif 000003
【図２】
2020112330.tif 000004
【図３Ａ】
2020112330.tif 000005
【図３Ｂ】
2020112330.tif 000006
【図４】
2020112330.tif 000007
【図５】
2020112330.tif 000008
【図６】
2020112330.tif 000009